(57)【要約】【課題】アドレス帳に含まれる文字の表示を柔軟に変更することを課題とする。【解決手段】１つの態様において、携帯電子機器（例えば、携帯電話１）は、ディスプレイと、複数の漢字ごとに、当該漢字に対応する仮名文字を記憶する記憶部と、前記ディスプレイに前記漢字を含む文字列を表示するときに、所定の条件に従って、前記文字列に含まれる漢字を前記仮名文字に置換して表示する制御部とを有する。例えば、携帯電話１は、アドレス帳を表示する際に、個人情報（生年月日）に基づいてユーザの学年を判定し、判定した学年に応じて、アドレス帳に含まれる文字列に含まれる漢字を平仮名に置換して表示する。【選択図】図１
2013246623.tif 000002
【特許請求の範囲】
【請求項１】
ディスプレイと、
複数の漢字ごとに、当該漢字に対応する仮名文字を記憶する記憶部と、
前記ディスプレイに前記漢字を含む文字列を表示するときに、所定の条件に従って、前記文字列に含まれる漢字を前記仮名文字に置換して表示する制御部と
を有する携帯電子機器。
【請求項２】
前記記憶部は、前記漢字と前記仮名文字の対応付けを含むアドレス帳の情報を記憶し、
前記制御部は、前記ディスプレイに前記情報を表示するときに、所定の条件に従って、前記情報に含まれる前記漢字を当該漢字に対応付けられた前記仮名文字に置換して表示する請求項１に記載の携帯電子機器。
【請求項３】
前記記憶部は、ユーザの個人情報をさらに記憶し、
前記制御部は、前記個人情報に基づいてユーザの学年を判定し、判定した学年に応じて、前記漢字を前記仮名文字に置換して表示するか否かを決定する請求項１または２に記載の携帯電子機器。
【請求項４】
前記記憶部は、ユーザの個人情報をさらに記憶し、
前記制御部は、前記個人情報に基づいてユーザの年齢を判定し、判定した年齢に応じて、前記漢字を前記仮名文字に置換して表示するか否かを決定する請求項１または２に記載の携帯電子機器。
【請求項５】
前記記憶部は、前記学年に対応付けて、当該学年で習得すべき常用漢字データをさらに記憶し、
前記制御部は、前記漢字が、前記学年に対応する前記常用漢字データに含まれていない場合には、前記漢字を前記仮名文字に置換して表示させる請求項３に記載の携帯電子機器。
【請求項６】
ディスプレイと、複数の漢字ごとに当該漢字に対応する仮名文字を記憶する記憶部とを有する携帯電子機器に実行される制御方法であって、
前記ディスプレイに前記漢字を含む文字列を表示するときに、所定の条件に従って、前記漢字を前記仮名文字に置換して表示するステップを含む制御方法。
【請求項７】
ディスプレイと、複数の漢字ごとに当該漢字に対応する仮名文字を記憶する記憶部とを有する携帯電子機器に、
前記ディスプレイに前記漢字を含む文字列を表示するときに、所定の条件に従って、前記漢字を前記仮名文字に置換して表示するステップを実行させる制御プログラム。
【発明の詳細な説明】
【技術分野】
【０００１】
本出願は、携帯電子機器、制御プログラム及び制御プログラムに関する。
【背景技術】
【０００２】
従来、携帯電話は、通信相手ごとに、名前、住所、メールアドレス及び電話番号等の様々なデータを管理するための機能としてアドレス帳を備えている。携帯電話は、ユーザの操作に応じて、アドレス帳に含まれる通信相手のデータをディスプレイに表示させたり、アドレス帳へのデータの登録、削除、更新などの編集を行ったりすることができる。
【先行技術文献】
【特許文献】
【０００３】
【特許文献１】特開２０１１−２５０１３４号公報
【発明の概要】
【発明が解決しようとする課題】
【０００４】
ところで、携帯電話は、ユーザの操作に応じて、アドレス帳に含まれる通信相手の名前を表示させる場合、アドレス帳に登録された当時の文字のままで固定的な表示を行うのみで、改善の余地がある。
【０００５】
上記のことから、アドレス帳に含まれる文字の表示を柔軟に変更できる携帯電子機器、制御方法及び制御プログラムに対する必要性がある。
【課題を解決するための手段】
【０００６】
１つの態様に係る携帯電子機器は、ディスプレイと、複数の漢字ごとに、当該漢字に対応する仮名文字を記憶する記憶部と、前記ディスプレイに前記漢字を含む文字列を表示するときに、所定の条件に従って、前記文字列に含まれる漢字を前記仮名文字に置換して表示する制御部とを有する。
【０００７】
１つの態様に係る制御方法は、ディスプレイと、複数の漢字ごとに当該漢字に対応する仮名文字を記憶する記憶部とを有する携帯電子機器に実行される制御方法であって、前記ディスプレイに前記漢字を含む文字列を表示するときに、所定の条件に従って、前記漢字を前記仮名文字に置換して表示するステップを含む。
【０００８】
１つの態様に係る制御プログラムは、ディスプレイと、複数の漢字ごとに当該漢字に対応する仮名文字を記憶する記憶部とを有する携帯電子機器に実行される制御プログラムであって、前記ディスプレイに前記漢字を含む文字列を表示するときに、所定の条件に従って、前記漢字を前記仮名文字に置換して表示するステップを実行させる。
【図面の簡単な説明】
【０００９】
【図１】図１は、実施形態に係る携帯電話の機能構成を示すブロック図である。
【図２】図２は、個人情報の一例を示す図である。
【図３】図３は、アドレス帳のデータの一例を示す図である。
【図４】図４は、常用漢字データの一例を示す図である。
【図５】図５は、ディスプレイに表示される操作画面の一例を示す図である。
【図６】図６は、小学６年生対応のアドレス帳の表示例を示す図である。
【図７】図７は、小学６年生対応の詳細データ画面の表示例を示す図である。
【図８】図８は、小学５年生対応のアドレス帳の表示例を示す図である。
【図９】図９は、小学５年生対応の詳細データ画面の表示例を示す図である。
【図１０】図１０は、小学４年生対応のアドレス帳の表示例を示す図である。
【図１１】図１１は、小学４年生対応の詳細データ画面の表示例を示す図である。
【図１２】図１２は、小学３年生対応のアドレス帳の表示例を示す図である。
【図１３】図１３は、小学３年生対応の詳細データ画面の表示例を示す図である。
【図１４】図１４は、小学２年生対応のアドレス帳の表示例を示す図である。
【図１５】図１５は、小学１年生対応のアドレス帳の表示例を示す図である。
【図１６】図１６は、小学１年生対応の詳細データ画面の表示例を示す図である。
【図１７】図１７は、実施形態に係る携帯電話による処理手順の一例を示す図である。
【図１８】図１８は、ディスプレイに表示される操作画面の他の例を示す図である。
【図１９】図１９は、小学６年生に対応する詳細データ画面の他の例を示す図である。
【図２０】図２０は、解除機能設定テーブルの一例を示す図である。
【図２１】図２１は、ユーザの学年に応じて解除される機能の一例を示す図である。
【図２２】図２２は、ユーザの学年に応じて解除される機能の一例を示す図である。
【図２３】図２３は、ユーザの学年に応じて解除される付帯機能の一例を示す図である。
【発明を実施するための形態】
【００１０】
本出願に係る携帯電子機器、制御方法及び制御プログラムを実施するための実施形態を、図面を参照しつつ詳細に説明する。以下の説明により、本出願に係る制御方法及び制御プログラムが限定されるものではない。以下の説明における構成要素には、当業者が容易に想定できるもの、実質的に同一のもの、いわゆる均等の範囲のものが含まれる。以下においては、携帯電子機器の一例として携帯電話を取り上げるが、本出願に係る携帯電子機器の適用対象は携帯電話に限定されるものではなく、ＰＨＳ（Ｐｅｒｓｏｎａｌ  Ｈａｎｄｙ−Ｐｈｏｎｅ  Ｓｙｓｔｅｍ）に対しても適用できる。
【００１１】
（実施形態）
図１は、実施形態に係る携帯電話の機能構成を示すブロック図である。図１に示すように、携帯電話１は、マイク１１と、スピーカ１２と、レシーバ１３と、操作部１４と、表示部１５と、カメラ１６と、通信部１７と、ＧＰＳ通信部１８と、音声処理部２０と、記憶部４０と、制御部１００とを有する。
【００１２】
マイク１１は、例えば、通話時の音声などの音声信号を入力する。スピーカ１２は、例えば、携帯電話１の筐体内に配置されており、着信音やメールの送信音等を出力する。レシーバ１３は、例えば、通話時の音声などを出力する。
【００１３】
操作部１４は、各種機能が割り当てられた複数のキーを有する。操作部１４は、これらのキーがユーザの操作により入力されると、その操作内容に対応する信号を発生させる。発生した信号は、ユーザの指示として制御部１００へ入力される。
【００１４】
表示部１５は、任意のディスプレイを有し、制御部１００から供給される映像データに応じた映像や画像データに応じた画像を表示させる他、各種機能に対応する操作画面を表示させる。ディスプレイは、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１５は、ディスプレイに加え、サブディスプレイを有していてもよい。カメラ１６は、撮影した画像を取得する。
【００１５】
通信部１７は、アンテナ１７ａを有し、通信ネットワークに収容される基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話２との間で電話通信及び情報通信を行う。
【００１６】
ＧＰＳ通信部１８は、ＧＰＳ衛星からの所定の周波数帯の電波信号を受信し、受信した電波信号の復調処理を行って、処理後の信号を制御部１００に送出する。携帯電話１は、通信部１７及びＧＰＳ通信部１８の代わりに、通信部１７及びＧＰＳ通信部１８の双方の機能を搭載した通信ユニットを一つ設けてもよい。
【００１７】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ送出する。また、制御部１００から送られる音声データの復号化、デジタルアナログ変換、増幅等の処理を施し、アナログの音声信号に変換してからスピーカ１２及びレシーバ１３へ出力する。
【００１８】
記憶部４０は、オペレーティングシステムプログラム及びアプリケーションプログラム等、制御部１００での処理に利用される各種プログラム及び各種データを記憶する。例えば、記憶部４０には、表示部１５の動作を制御するアプリケーションプログラムを作動させるタスク、通信部１７の動作を制御するアプリケーションプログラムを作動させるタスク及び音声処理部２０の動作を制御するアプリケーションプログラムを作動させるタスクなどが記憶されている。また、記憶部４０には、これらのタスク以外にも、例えば、ダウンロードされた音声データ、あるいは記憶部４０に対する制御に制御部１００が用いるプログラム、通信相手の電話番号及びメールアドレス等の情報が含まれるアドレス帳、発信音及び着信音等の音声ファイル、プログラムに基づく処理過程で用いられる一時的なデータ等が記憶される。
【００１９】
本実施形態において、記憶部４０には、ユーザの個人情報が記憶される。図２は、個人情報の一例を示す図である。図２に示すように、記憶部４０には、ユーザの名前“特許／一朗”、及び生年月日“２００Ｘ年Ｙ月Ｚ日”などが記憶されている。
【００２０】
さらに、記憶部４０には、上記アドレス帳の情報として、通信相手ごとに、漢字で表記された名前と、その漢字に対応するふりがな（平仮名）との対応付けなどを含むアドレス帳データが記憶される。図３は、アドレス帳のデータの一例を示す図である。図３に示すように、記憶部４０には、ある通信相手に関するデータとして、例えば、名前（名称）“特許／太朗”、ふりがな“とっきょ／たろう”、電話番号“０Ａ０―ＢＢＢＢ−ＣＣＣＣ”、メールアドレス“ｔａｒｏ＠ｘｘｘ．ｎｅ．ｊｐ”が記憶される。このように、記憶部４０には、複数の漢字ごとに、漢字に対応する平仮名が記憶される。
【００２１】
アドレス帳データは、契約時に、携帯電話の事業者によって記録されてもよいし、ユーザ又はユーザの親族などの関係者によって記録されてもよいし、アドレス帳のデータを記述したファイルを携帯電話１に送信することによって記録されてもよい。アドレス帳のデータを記述したファイルを送信する場合には、ｖＣＡＲＤなどのデータフォーマットを利用することができる。さらに、アドレス帳データを記述したファイルは、図３に示すように、ファイルに記述された漢字（性と名）、ふりがな（性と名）、電話番号、メールアドレスの各データを、携帯電話１が区別できるように構成されているものとする。例えば、アドレス帳のデータを記述したファイルには、名前ごとに、名前を構成する漢字の文字コードと漢字に対応する平仮名の文字コードとが関連付けられ、さらに、電話番号に対応するバイナリデータとメールアドレスに対応するバイナリデータが一意に対応付けられているものとする。
【００２２】
さらに、記憶部４０には、学年に対応付けて、その学年で習得すべき常用漢字データが記憶される。図４は、常用漢字データの一例を示す図である。図４に示すように、記憶部４０には、小学校１年生から６年生までに、学校で習得すべき漢字として文部科学省文化審議会により示される常用漢字データが記憶される。
【００２３】
例えば、記憶部４０には、小学１年生に対応する常用漢字として、“一”、“子”、“先”、“花”、“森”など、計８０字が記憶される。さらに、記憶部４０には、小学２年生に対応する常用漢字として、“引”、“家”、“太”、“電”、“話”など、計１６０字が記憶される。さらに、記憶部４０には、小学３年生に対応する常用漢字として、“悪”、“安”、“帳”、“次”など、計２００字が記憶される。さらに、記憶部４０には、小学４年生に対応する常用漢字として、“愛”、“案”、“街”、“特”など、計１８１字が記憶される。さらに、記憶部４０には、小学５年生に対応する常用漢字として、“圧”、“移”、“因”、“許”など、計１８５字が記憶される。さらに、記憶部４０には、小学６年生に対応する常用漢字として、“異”、“遺”、“革”、“連”、“朗”など、計１８１字が記憶される。
【００２４】
さらに、記憶部４０には、制御部１００による処理に用いられる制御プログラムが記憶される。制御プログラムには、ディスプレイに漢字を含む文字列（例えば、アドレス帳）を表示するときに、個人情報に基づいてユーザの学年を判定し、判定した学年に応じて、文字列に含まれる漢字を平仮名に置換して表示する機能が含まれる。例えば、この機能は、ディスプレイに表示する漢字が、ユーザの該当学年及び該当学年に至るまでの各学年に対応する常用漢字データに含まれていない場合には、文字列に含まれる漢字を平仮名に置換して表示する処理を制御部１００に実行させる。
【００２５】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話１の各種の処理を実行する。すなわち、制御部１００は、携帯電話１の各種の処理が、操作部１４の操作、及び記憶部４０に記憶されるプログラムに応じて適切な手順で実行されるように、表示部１５、通信部１７、ＧＰＳ通信部１８及び音声処理部２０等の動作を制御する。
【００２６】
さらに、制御部１００は、記憶部４０に記憶されている制御プログラムに基づいて、ディスプレイに表示する漢字が、ユーザの該当学年及び該当学年に至るまでの各学年に対応する常用漢字データに含まれていない場合には、文字列に含まれる漢字を平仮名に置換して表示する処理を実行する。制御部１００は、図１に示すように、判定部１１０と、置換部１２０とを有する。
【００２７】
判定部１１０は、アドレス帳に含まれる情報を表示する際に、個人情報に基づいてユーザの学年を判定し、判定した学年に応じて、漢字を平仮名に置換して表示するか否かを判定する。具体的には、判定部１１０は、操作部１４を介して、ユーザからアドレス帳の起動指示を受け付けると、記憶部４０からユーザの生年月日を取得する。
【００２８】
続いて、判定部１１０は、ユーザの生年月日に基づいて、ユーザの学年を判定する。例えば、判定部１１０は、ユーザの生年月日から、ユーザの満年齢を導出し、導出した満年齢に対応する学年をユーザの該当学年として判定する。例えば、判定部１１０は、各学年に対応する生年月日の範囲が示されたデータと、ユーザの生年月日とを対比してユーザの学年を判定する。
【００２９】
続いて、判定部１１０は、ユーザの該当学年及び該当学年に至るまでの各学年に対応する常用漢字データと、アドレス帳のデータを記憶部４０から取得する。続いて、判定部１１０は、アドレス帳に含まれる文字列に含まれる漢字のうち、ユーザの学年に対応する常用漢字データに含まれないものがあるか否かを判定する。そして、判定部１１０は、常用漢字データに含まれないものがある場合には、判定結果を置換部１２０に送出する。
【００３０】
置換部１２０は、アドレス帳の情報をディスプレイに表示する場合に、判定部１１０の検出結果に従って、アドレス帳に含まれる漢字と平仮名との対応付けを参照し、アドレス帳の情報に含まれる漢字を、この漢字に対応する平仮名に置換してディスプレイに表示する。
【００３１】
図５〜図１６を用いて、携帯電話１による処理の概要を説明する。
【００３２】
図５は、ディスプレイに表示される操作画面の一例を示す図である。図５に示すように、携帯電話１は、操作部１４の操作に応じて、表示部１５が有するディスプレイ１５ａに、アドレス帳を表示させるための操作画面Ｓ１を表示させる。図５に表示される操作画面Ｓ１には、例えば、「れんらくさき」という項目と、「きんきゅうでんわ」という項目が表示される。これらの項目は、ユーザが操作部１４を操作することにより選択できる。
【００３３】
図６は、小学６年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「特許太朗」、「特許花子」、「特許次朗」、「特許森子」、「家」などの複数の連絡先が列挙されたアドレス帳の画面Ｓ２をディスプレイ１５ａに表示させる。
【００３４】
具体的に説明すると、携帯電話１は、図５に示す「れんらくさき」の項目の選択入力を受け付けると、アドレス帳の起動指示を受け付けたものと判定し、記憶部４０に記憶されている個人情報から、ユーザの生年月日のデータを取得する。続いて、携帯電話１は、ユーザの生年月日からユーザの学年を６年生であると判定すると、１年生から６年生までの各学年に対応する常用漢字データを記憶部４０から取得する。続いて、携帯電話１は、記憶部４０からアドレス帳のデータを取得し、アドレス帳に含まれる連絡先を示す漢字のうち、１年生から６年生までの各学年に対応する常用漢字データに含まれない漢字があるか否かを判定し、例えば、図６に示す例では、１年生から６学年までの常用漢字データに含まれない漢字はないものと判定する。そして、携帯電話１は、アドレス帳の画面Ｓ２をディスプレイ１５ａに表示するときに、アドレス帳に含まれる連絡先を示す漢字をそのまま表示する。
【００３５】
図７は、小学６年生対応の詳細データ画面の表示例を示す図である。携帯電話１は、アドレス帳の画面に表示された連絡先の中から、操作部１４を介してユーザにより選択された連絡先の詳細データ画面Ｓ３を表示させる。例えば、携帯電話１は、図６に示すアドレス帳の画面Ｓ２上で、ユーザから「特許太朗」の項目の選択入力を受け付けると、図７に示すように、名前“特許太朗”と表記された項目の下に、電話番号“でんわ：０Ａ０―ＢＢＢＢ−ＣＣＣＣ”、及びメールアドレス“メール：ｔａｒｏ＠ｘｘｘ．ｎｅ．ｊｐ”が表記された詳細データ画面Ｓ３をディスプレイ１５ａに表示させる。
【００３６】
図８は、小学５年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「特許太ろう」、「特許花子」、「特許次ろう」、「特許森子」、「家」などの複数の連絡先が列挙されたアドレス帳の画面Ｓ４をディスプレイ１５ａに表示させる。
【００３７】
具体的に説明すると、携帯電話１は、ユーザの生年月日からユーザの学年を５年生と判定すると、１年生から５年生までの各学年に対応する常用漢字データを記憶部４０から取得する。続いて、携帯電話１は、記憶部４０からアドレス帳のデータを取得し、アドレス帳に含まれる連絡先を示す漢字のうち、１年生から５年生までの各学年に対応する常用漢字データに含まれない漢字があるか否かを判定する。例えば、図８に示す例では、携帯電話１は、アドレス帳に含まれる連絡先を示す漢字のうち、“朗”を、１年生から５年生までの常用漢字データに含まれない漢字であると判定する。続いて、携帯電話１は、アドレス帳のデータから漢字“朗”に対応する平仮名“ろう”を取得する。そして、携帯電話１は、アドレス帳の画面Ｓ４をディスプレイ１５ａに表示するときに、漢字“朗”を平仮名“ろう”に置換して表示する。
【００３８】
図９は、小学５年生対応の詳細データ画面の表示例を示す図である。例えば、携帯電話１は、図８に示すアドレス帳の画面Ｓ４上で、ユーザから「特許太ろう」の項目の選択入力を受け付けると、図９に示すように、名前“特許太ろう”と表記された項目の下に、電話番号“でんわ：０Ａ０―ＢＢＢＢ−ＣＣＣＣ”、及びメールアドレス“メール：ｔａｒｏ＠ｘｘｘ．ｎｅ．ｊｐ”が表記された詳細データ画面Ｓ５をディスプレイ１５ａに表示する。
【００３９】
このように、携帯電話１は、ユーザが小学５年生である場合、ユーザが小学６年生であるときには漢字で表示されていた箇所を平仮名に置換して表示する。すなわち、携帯電話１は、アドレス帳の画面（図８）及び詳細データ画面（図９）を表示させる場合に、漢字“朗”を、平仮名“ろう”に置換して表示する。
【００４０】
図１０は、小学４年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「特きょ太ろう」、「特きょ花子」、「特きょ次ろう」、「特きょ森子」、「家」などの複数の連絡先が列挙されたアドレス帳の画面Ｓ６をディスプレイ１５ａに表示させる。
【００４１】
具体的に説明すると、携帯電話１は、ユーザの生年月日からユーザの学年を４年生と判定すると、１年生から４年生までの各学年に対応する常用漢字データを記憶部４０から取得する。続いて、携帯電話１は、記憶部４０からアドレス帳のデータを取得し、アドレス帳に含まれる連絡先を示す漢字のうち、１年生から４年生までの各学年に対応する常用漢字データに含まれない漢字があるか否かを判定する。例えば、図１０に示す例では、携帯電話１は、アドレス帳に含まれる連絡先を示す漢字のうち、“朗”及び“許”を、１年生から４年生までの常用漢字データに含まれない漢字であると判定する。続いて、携帯電話１は、アドレス帳のデータから漢字“朗”に対応する平仮名“ろう”、及び漢字“許”に対応する平仮名“きょ”をそれぞれ取得する。
【００４２】
そして、携帯電話１は、アドレス帳の画面Ｓ６をディスプレイ１５ａに表示するときに、漢字“朗”を平仮名“ろう”に置換し、漢字“許”を平仮名“きょ”に置換して表示する。
【００４３】
図１１は、小学４年生対応の詳細データ画面の表示例を示す図である。例えば、携帯電話１は、図１０に示すアドレス帳の画面Ｓ６上で、ユーザから「特きょ太ろう」の項目の選択入力を受け付けると、図１１に示すように、名前“特きょ太ろう”と表記された項目の下に、電話番号“でんわ：０Ａ０―ＢＢＢＢ−ＣＣＣＣ”、及びメールアドレス“メール：ｔａｒｏ＠ｘｘｘ．ｎｅ．ｊｐ”が表記された詳細データ画面Ｓ７をディスプレイ１５ａに表示する。
【００４４】
このように、携帯電話１は、ユーザが小学４年生である場合、ユーザが小学５年生であるときには漢字で表示されていた箇所を、さらに平仮名に置換して表示する。すなわち、携帯電話１は、アドレス帳の画面（図１０）及び詳細データ画面（図１１）を表示させる場合に、漢字“朗”を平仮名“ろう”に置換するだけでなく、さらに、漢字“許”を平仮名“きょ”に置換して表示する。
【００４５】
図１２は、小学３年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「とっきょ太ろう」、「とっきょ花子」、「とっきょ次ろう」、「とっきょ森子」、「家」などの複数の連絡先が列挙されたアドレス帳の画面Ｓ８をディスプレイ１５ａに表示させる。
【００４６】
具体的に説明すると、携帯電話１は、ユーザの生年月日からユーザの学年を３年生と判定すると、１年生から３年生までの常用漢字データを記憶部４０から取得する。続いて、携帯電話１は、記憶部４０からアドレス帳のデータを取得し、アドレス帳に含まれる連絡先を示す漢字のうち、１年生から３年生までの各学年に対応する常用漢字データに含まれない漢字があるか否かを判定する。例えば、図１２に示す例では、携帯電話１は、アドレス帳に含まれる連絡先を示す漢字のうち、“朗”、“許”及び“特”を、１年生から３年生までの常用漢字データに含まれない漢字であると判定する。続いて、携帯電話１は、アドレス帳のデータから漢字“朗”に対応する平仮名“ろう”、漢字“許”に対応する平仮名“きょ”、及び漢字“特”に対応する平仮名“とっ”をそれぞれ取得する。
【００４７】
そして、携帯電話１は、アドレス帳の画面Ｓ８をディスプレイ１５ａに表示するときに、漢字“朗”を平仮名“ろう”に置換し、漢字“許”を平仮名“きょ”に置換し、漢字“特”を平仮名“とっ”に置換して表示する。
【００４８】
図１３は、小学３年生対応の詳細データ画面の表示例を示す図である。例えば、携帯電話１は、図１２に示すアドレス帳の画面Ｓ８上で、ユーザから「とっきょ太ろう」の項目の選択入力を受け付けると、図１３に示すように、名前“とっきょ太ろう”と表記された項目の下に、電話番号“でんわ：０Ａ０―ＢＢＢＢ−ＣＣＣＣ”、及びメールアドレス“メール：ｔａｒｏ＠ｘｘｘ．ｎｅ．ｊｐ”が表記された詳細データ画面Ｓ９をディスプレイ１５ａに表示する。
【００４９】
このように、携帯電話１は、ユーザが小学３年生である場合、ユーザが小学４年生であるときには漢字で表示されていた箇所を、さらに平仮名に置換して表示する。すなわち、携帯電話１は、アドレス帳の画面（図１２）及び詳細データ画面（図１３）を表示させる場合に、漢字“許”を平仮名“きょ”に置換するだけでなく、さらに、漢字“特”を平仮名“とっ”に置換して表示する。
【００５０】
図１４は、小学２年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「とっきょ太ろう」、「とっきょ花子」、「とっきょじろう」、「とっきょ森子」、「家」などの複数の連絡先が列挙されたアドレス帳の画面Ｓ１０をディスプレイ１５ａに表示させる。
【００５１】
具体的に説明すると、携帯電話１は、ユーザの生年月日からユーザの学年を２年生と判定すると、１年生から２年生までの各学年に対応する常用漢字データを記憶部４０から取得する。続いて、携帯電話１は、記憶部４０からアドレス帳のデータを取得し、アドレス帳に含まれる連絡先を示す漢字のうち、１年生から２年生までの各学年に対応する常用漢字データに含まれない漢字があるか否かを判定する。例えば、図１４に示す例では、携帯電話１は、アドレス帳に含まれる連絡先を示す漢字のうち、“朗”、“許”、“特”及び“次”を、１年生から２年生までの常用漢字データに含まれない漢字であると判定する。続いて、携帯電話１は、アドレス帳のデータから漢字“朗”に対応する平仮名“ろう”、漢字“許”に対応する平仮名“きょ”、漢字“特”に対応する平仮名“とっ”、及び漢字“次”に対応する平仮名“じ”をそれぞれ取得する。
【００５２】
そして、携帯電話１は、アドレス帳の画面Ｓ１０をディスプレイ１５ａに表示するときに、漢字“朗”を平仮名“ろう”に置換し、漢字“許”を平仮名“きょ”に置換し、漢字“特”を平仮名“とっ”に置換し、漢字“次”を平仮名“じ”に置換して表示する。
【００５３】
図１４に示すアドレス帳の画面Ｓ１０上で、ユーザから「とっきょ太ろう」の項目の選択入力を受け付けたときに、携帯電話１が表示させる詳細データ画面は、小学３年生対応の詳細データ画面（図１３）と同じになる。「とっきょじろう」の詳細データ画面のみが、小学３年生対応の詳細データ画面とは異なることになる。
【００５４】
図１５は、小学１年生対応のアドレス帳の表示例を示す図である。携帯電話１は、図５に示す操作画面Ｓ１上で、ユーザから「れんらくさき」の項目の選択入力を受け付けると、「れんらくさき」と表記された項目の下に、「とっきょたろう」、「とっきょ花子」、「とっきょじろう」、「とっきょ森子」、「いえ」などの複数の連絡先が列挙されたアドレス帳の画面Ｓ１１をディスプレイ１５ａに表示させる。
【００５５】
具体的に説明すると、携帯電話１は、ユーザの生年月日からユーザの学年を１年生と判定すると、１学年に対応する常用漢字データを記憶部４０から取得する。続いて、携帯電話１は、記憶部４０からアドレス帳のデータを取得し、アドレス帳に含まれる連絡先を示す漢字のうち、１年生に対応する常用漢字データに含まれない漢字があるか否かを判定する。例えば、図１５に示す例では、携帯電話１は、アドレス帳に含まれる連絡先を示す漢字のうち、“朗”、“許”、“特”、“次”、“太”及び“家”を、１年生に対応する常用漢字データに含まれない漢字であると判定する。続いて、携帯電話１は、アドレス帳のデータから漢字“朗”に対応する平仮名“ろう”、漢字“許”に対応する平仮名“きょ”、漢字“特”に対応する平仮名“とっ”、漢字“次”に対応する平仮名“じ”、漢字“太”に対応する平仮名“た”及び漢字“家”に対応する平仮名“いえ”をそれぞれ取得する。
【００５６】
そして、携帯電話１は、アドレス帳の画面Ｓ１１をディスプレイ１５ａに表示するときに、漢字“朗”を平仮名“ろう”に置換し、漢字“許”を平仮名“きょ”に置換し、漢字“特”を平仮名“とっ”に置換し、漢字“次”を平仮名“じ”に置換し、漢字“太”を平仮名“た”に置換し、漢字“家”を平仮名“いえ”に置換して表示する。
【００５７】
図１６は、小学１年生対応の詳細データ画面の表示例を示す図である。例えば、携帯電話１は、図１５に示すアドレス帳の画面Ｓ１１上で、ユーザから「とっきょたろう」の項目の選択入力を受け付けると、図１６に示すように、名前“とっきょたろう”と表記された項目の下に、電話番号“でんわ：０Ａ０―ＢＢＢＢ−ＣＣＣＣ”、及びメールアドレス“メール：ｔａｒｏ＠ｘｘｘ．ｎｅ．ｊｐ”が表記された詳細データ画面Ｓ１２をディスプレイ１５ａに表示する。
【００５８】
図１７は、実施形態に係る携帯電話１による処理手順の一例を示す図である。図１７に示す処理手順は、制御部１００が記憶部４０に記憶されている制御プログラムなどを実行することにより実現される。
【００５９】
図１７に示すように、携帯電話１は、アドレス帳の起動指示を受け付けると（ステップＳ１０１）、記憶部４０に記憶されている個人情報からユーザの生年月日を取得する（ステップＳ１０２）。
【００６０】
続いて、携帯電話１は、ユーザの生年月日に基づいて、ユーザの該当学年を判定する（ステップＳ１０３）。続いて、携帯電話１は、ユーザの該当学年及び該当学年に至るまでの各学年に対応する常用漢字データを記憶部４０から取得する（ステップＳ１０４）。続いて、携帯電話１は、アドレス帳のデータを記憶部４０から取得する（ステップＳ１０５）。
【００６１】
続いて、携帯電話１は、アドレス帳のデータに含まれる漢字のうち、常用漢字に含まれないものを平仮名に置換する（ステップＳ１０６）。そして、携帯電話１は、アドレス帳を表示し（ステップＳ１０７）、図１７に示す処理手順を終了する。
【００６２】
上述してきたように、本実施形態では、携帯電話１が、アドレス帳を表示する際に、個人情報（生年月日）に基づいてユーザの学年を判定し、判定した学年に応じて、アドレス帳に含まれる漢字を平仮名に置換して表示する（図５〜１６参照）。このため、本実施形態によれば、アドレス帳に含まれる文字の表示を柔軟に変更できる。例えば、本実施形態によれば、ユーザが小学生である場合、アドレス帳に含まれる漢字のうち、ユーザの学年で習得する予定ではない漢字を平仮名に置換して表示するので、ユーザに分かり易いようにアドレス帳の表示を変更できる。
【００６３】
上述した実施形態では、携帯電話１は、ユーザの学年に応じて、アドレス帳に含まれる漢字を平仮名に置換する例を説明したが、これには限定されず、ユーザの年齢に応じて、アドレス帳に含まれる漢字を平仮名に置換してもよい。この場合には、携帯電話１は、ユーザの学年ではなく、ユーザの年齢ごとに、漢字と平仮名との対応づけを記憶部４０に記憶しておく。そして、携帯電話１は、例えば、ユーザの生年月日からユーザの満年齢を判定し、ユーザの満年齢に対応する漢字と平仮名の対応付けを参照して、アドレス帳に含まれる漢字を平仮名に置換して表示する。
【００６４】
上述した実施形態において、アドレス帳に含まれる熟語に対応する読み（平仮名）が難解であるものについては、熟語を構成する単語の１つ１つについては常用漢字データに含まれる場合であっても、平仮名に置換して表示するようにしてもよい。例えば、“東海林”と“しょうじ”、“小鳥遊”と“たかなし”などの対応付けを記憶部４０に予め記憶しておく。そして、携帯電話１は、アドレス帳に含まれる“東海林”をディスプレイに表示する場合に、“しょうじ”と平仮名に置換して表示する。
【００６５】
上述した実施形態では、記憶部４０に、アドレス帳の情報として記憶されている漢字と平仮名との対応付けを利用して、漢字を平仮名に置換する例を説明したが、アドレス帳のデータとは別個に、漢字と平仮名との対応付けを管理するデータベースを設けてもよい。
【００６６】
上述した実施形態では、アドレス帳の情報を表示する場合に、アドレス帳の情報に含まれる漢字を対応する平仮名に置換する例を説明したが、アドレス帳の情報を表示する場合以外であっても、漢字を平仮名に置換するようにしてもよい。図１８は、ディスプレイに表示される操作画面の他の例を示す図である。図１９は、小学６年生に対応する詳細データ画面の他の例を示す図である。
【００６７】
例えば、携帯電話１は、常用漢字データとは別に、複数の漢字ごとに、漢字に対応する読み仮名を関連付けて記憶部４０に予め記憶しておく。そして、携帯電話１は、例えば、ユーザが小学６年生である場合、図１８に示す操作画面Ｓ１３のように、操作画面Ｓ１３に表示される文字のうち、１〜６学年に対応する常用漢字データに含まれていない漢字“絡”及び“緊”については、関連付けを参照して平仮名で表示する。一方、携帯電話１は、図１８に示す操作画面Ｓ１３のように、操作画面Ｓ１３に表示される文字のうち、１〜６学年に対応する常用漢字データに含まれている漢字“連”、“先”、“急”、“電”及び“話”については漢字で表示する。同様に、携帯電話１は、図１９に示す詳細データ画面Ｓ１４に表示される文字のうち、１〜６学年に対応する常用漢字データに含まれている漢字“電”及び“話”については漢字で表示する。
【００６８】
図１８及び図１９に示すように、携帯電話１は、アドレス帳の情報を表示する場合に限らず、ディスプレイに漢字を含む文字列を表示するとき、言い換えれば、操作画面をディスプレイに表示するときに、ユーザの学年に応じて、操作画面に含まれる漢字を対応する平仮名に置換して表示する。このように、ディスプレイに表示する漢字を含む文字列を表示するときに、文字の表示を柔軟に変更できる。
【００６９】
図１８及び図１９に示す操作画面の例だけではなく、例えば、メールボックスの画面を表示する場合にも、同様にして、漢字を平仮名に置換するようにしてもよい。
【００７０】
上述した実施形態では、漢字を平仮名に置換する例を説明したが、カタカナに置換して表示してもよい。この場合、記憶部４０には、漢字とカタカナとの対応付けを予め記憶しておく。
【００７１】
上述した実施形態では、ユーザが小学生である場合の例を説明したが、ユーザが小学生以外である場合にも、ユーザのステータス（例えば、中学生、高校生、大学生、社会人など）に応じて、上述した実施形態の処理を実行してもよい。この場合には、ユーザのステータスごとに、記憶部４０に、複数の漢字と対応する平仮名（あるいは、カタカナ）の対応付けを予め記憶しておく。そして、携帯電話１は、例えば、ユーザの個人情報に基づいてユーザのステータス（中学生、高校生、大学生、社会人など）を判定し、ユーザのステータスに対応する漢字と平仮名の対応づけを参照して、アドレス帳に含まれる漢字を平仮名に置換して表示する。
【００７２】
（その他の実施形態）
上述した実施形態では、携帯電話１が、アドレス帳を表示する際に、個人情報（生年月日）に基づいてユーザの学年を判定し、判定した学年に応じて、アドレス帳に含まれる漢字を平仮名に置換して表示する例を説明した。この例に限られず、例えば、携帯電話１が、携帯電話１に備えられた複数の機能の中から、ユーザの学年に応じて、ユーザに使用させる機能を段階的に解除するようにしてもよい。
【００７３】
記憶部４０は、例えば、図２０に示す解除機能設定テーブルを予め記憶する。図２０は、解除機能設定テーブルの一例を示す図である。図２０に示すように、解除機能設定テーブルには、携帯電話１に備えられた電話の機能うち、連絡先の機能（連絡先の情報を閲覧する機能）を、１年生から６年生の全てに解除することが設定されている。さらに、解除機能設定テーブルには、携帯電話１に備えられた電話の機能うち、緊急電話の機能（緊急連絡先を閲覧する機能）を、１年生から６年生の全てに解除することが設定されている。さらに、解除機能設定テーブルには、携帯電話１に備えられた電話の機能うち、発着信履歴の機能（発着信履歴の閲覧機能）を、５年生と６年生に解除することが設定されている。さらに、解除機能設定テーブルには、携帯電話１に備えられた電話の機能うち、留守番電話の機能（留守番電話を受け付けて確認する機能）を、６年生のみに解除することが設定されている。
【００７４】
さらに、図２０に示すように、解除機能設定テーブルには、携帯電話１に備えられたメールの機能を、６年生のみに解除することが設定されている。さらに、解除機能設定テーブルには、携帯電話１に備えられたアクセサリの機能うち、メモ帳の機能（メモを入力、記録、閲覧する機能）を、５年生と６年生に解除することが設定されている。さらに、解除機能設定テーブルには、携帯電話１に備えられたアクセサリの機能うち、電卓の機能を、６年生のみに解除することが設定されている。
【００７５】
さらに、図２０に示すように、解除機能設定テーブルには、携帯電話１に備えられた設定の機能うち、明るさの機能（ディスプレイの輝度を調整する機能）を、５年生と６年生に解除することが設定されている。さらに、解除機能設定テーブルには、携帯電話１に備えられた設定の機能うち、音量の機能（受話音量及びスピーカ音量を調整する機能）を、５年生と６年生に解除することが設定されている。
【００７６】
携帯電話１は、図２０に示す解除機能設定テーブルに基づいて、ユーザに使用させる機能を段階的に解除する。携帯電話１は、例えば、操作部１４を介して、ユーザから各種機能の起動指示を受け付けると、ユーザの学年を判定する。そして、携帯電話１は、解除機能設定テーブルを参照し、ユーザの学年に応じて、解除させる機能を決定する。図２１及び図２２は、ユーザの学年に応じて解除される機能の一例を示す図である。
【００７７】
携帯電話１は、操作部１４を介して、ユーザからアドレス帳の起動指示を受け付けると、記憶部４０からユーザの生年月日を取得して、ユーザの学年を判定する。判定の結果、ユーザが５年生である場合には、携帯電話１は、記憶部４０に記憶されている解除機能設定テーブルの電話の機能を参照し、連絡先、緊急電話及び発着信履歴を解除する機能として決定する。そして、携帯電話１は、図２１に示すように、ディスプレイ１５ａに、連絡先の機能に対応する項目（れんらくさき）、緊急電話の機能（きんきゅうでんわ）に対応する項目、及び発着信履歴に対応する項目（はっちゃくしんりれき）を有する操作画面Ｓ１５をディスプレイ１５ａに表示する。
【００７８】
あるいは、携帯電話１は、判定の結果、ユーザが６年生である場合には、記憶部４０に記憶されている解除機能設定テーブルの電話の機能を参照し、連絡先、緊急電話、発着信履歴及び留守番電話を解除する機能として決定する。そして、携帯電話１は、図２２に示すように、ディスプレイ１５ａに、連絡先の機能に対応する項目（れんらくさき）、緊急電話の機能（きんきゅうでんわ）に対応する項目、発着信履歴に対応する項目（はっちゃくしんりれき）及び留守番電話の機能に対応する項目（るすばんでんわ）を有する操作画面Ｓ１６をディスプレイ１５ａに表示する。
【００７９】
さらに、携帯電話１は、ユーザの学年に応じて、例えば、各種機能に付帯される機能を解除させるようにしてもよい。図２３は、ユーザの学年に応じて解除される付帯機能の一例を示す図である。図２３に示すように、携帯電話１は、例えば、ユーザが６年生である場合に、メモ帳の機能に付帯されたサブメニュー（切り取り、選択、コピー、貼り付けなどを行う機能）をメモ帳の操作画面Ｓ１７に表示させるようにしてもよい。
【００８０】
携帯電話１が、ユーザから各種機能の起動指示を受け付けたときに、解除させる機能を決定する例には限定されず、例えば、毎日決まった時刻（午前12：00など）になると、ユーザの学年を判定して、解除する機能を予め決定しておいてもよい。
【００８１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００８２】
１      携帯電話
１１    マイク
１２    スピーカ
１３    レシーバ
１４    操作部
１５    表示部
１６    カメラ
１７    通信部
１８    ＧＰＳ通信部
２０    音声処理部
４０    記憶部
１００  制御部
１１０  判定部
１２０  置換部
【図１】
2013246623.tif 000003
【図２】
2013246623.tif 000004
【図３】
2013246623.tif 000005
【図４】
2013246623.tif 000006
【図５】
2013246623.tif 000007
【図６】
2013246623.tif 000008
【図７】
2013246623.tif 000009
【図８】
2013246623.tif 000010
【図９】
2013246623.tif 000011
【図１０】
2013246623.tif 000012
【図１１】
2013246623.tif 000013
【図１２】
2013246623.tif 000014
【図１３】
2013246623.tif 000015
【図１４】
2013246623.tif 000016
【図１５】
2013246623.tif 000017
【図１６】
2013246623.tif 000018
【図１７】
2013246623.tif 000019
【図１８】
2013246623.tif 000020
【図１９】
2013246623.tif 000021
【図２０】
2013246623.tif 000022
【図２１】
2013246623.tif 000023
【図２２】
2013246623.tif 000024
【図２３】
2013246623.tif 000025